(57)【要約】【課題】        家事負担を大きくすることなく、ダニアレルゲンを除去することができる寝具清浄装置を提供することにある。【解決手段】    ベッドマット１が搭載されるベッドマット搭載板２と、ベッドマット搭載板２を支持する支持脚３と、支持脚３の下部に連結される底板４とで囲まれて形成される空間５を有し、ベッドマット搭載板２に、空間５と外部とを連通する連通穴２ａが形成されたベッド６と、空間５から塵埃を吸い込む吸込みブロア７と、吸込みブロア７に連結され、吸込みブロア７により吸い込まれた塵埃を空間５の外に排出する排出路９とを有したことで、吸込みブロア７を作動させるだけでベッドマット１に付着した集塵および集塵に含まれるダニアレルゲンを吸込みブロア７に吸い込み、吸込みブロア７に吸い込まれたダニアレルゲンを、排出路９を通って外に容易に排出するようにした。【選択図】        図１
2006204571.tif 000002
【特許請求の範囲】
【請求項１】
寝具に設置される吸込路と、前記吸込路に連結され、前記吸込路に形成された吸入口を通って塵埃を吸い込む吸込み手段と、前記吸込み手段により吸い込まれた塵埃を排出する排出路とを有す
ことを特徴とする寝具清浄装置。
【請求項２】
請求項１に記載の寝具清浄装置であって、
前記排出路に、アレルゲンを不活性化する機能を有するフィルタを配置する
ことを特徴とする寝具清浄装置。
【請求項３】
請求項２に記載の寝具清掃装置であって、
前記フィルタが酵素及び尿素を有するアレルゲン不活性化剤を備える
ことを特徴とする寝具清浄装置。
【請求項４】
ベッドマットが搭載されるベッドマット搭載部と、前記ベッドマット搭載部を支持する支持部と、前記支持部の下部に連結される底部とで囲まれて形成される空間を有し、前記ベッドマット搭載部に、前記空間と外部とを連通する連通穴が形成されたベッドと、前記空間から塵埃を吸い込む塵埃吸込み手段と、前記塵埃吸込み手段に連結され、前記塵埃吸込み手段により吸い込まれた塵埃を前記空間の外に排出する排出路とを有した
ことを特徴とする寝具清浄装置。
【請求項５】
請求項４に記載された寝具清浄装置であって、
前記排出路に、アレルゲンを不活性化する機能を有するフィルタを介在させる
ことを特徴とする寝具清浄装置。
【請求項６】
請求項５に記載された寝具清浄装置であって、
前記フィルタが酵素及び尿素を有するアレルゲン不活性化剤を備える
ことを特徴とする寝具清浄装置。
【請求項７】
請求項５または請求項６に記載された寝具清浄装置であって、
前記フィルタを前記ベッドの外に配置する
ことを特徴とする寝具清浄装置。
【請求項８】
請求項４乃至請求項７の何れかに記載された寝具清浄装置であって、
前記塵埃吸込み手段に、前記ベッドマット搭載部の貫通穴に接続するノズルを設け、前記ノズルを前記ベッドマット搭載部に沿って移動自在にする
ことを特徴とする寝具清浄装置。
【請求項９】
請求項４乃至請求項８の何れかに記載された寝具清浄装置であって、
前記ベッドマット搭載部の貫通穴を塞ぐ蓋部材を設け、前記蓋部材を前記ベッドマット搭載部に沿って移動自在にする
ことを特徴とする寝具清浄装置。
【請求項１０】
吸気口が形成されたパイプ部と、前記パイプ部に連結され、前記吸気口から前記パイプ部を通って塵埃及びアレルゲンを吸込む吸込み手段と、前記吸込み手段に接続され、吸い込まれた塵埃及びアレルゲンを排出する排出路とを有す寝具清掃装置であって、
前記吸込手段と前記排出路との間に、アレルゲンを不活性化する機能を有するフィルタを配置した
ことを特徴とする寝具清掃装置。
【請求項１１】
請求項１０に記載の寝具清掃装置であって、
前記フィルタが酵素及び尿素を有するアレルゲン不活性化剤を備える
ことを特徴とする寝具清浄装置。
【発明の詳細な説明】
【技術分野】
【０００１】
本発明は、ダニアレルゲンを除去可能な寝具清浄装置に関する。
【背景技術】
【０００２】
ハウスダスト中にはダニアレルゲンが含まれており、このダニアレルゲンは、喘息の主原因となっていることが知られている。ダニは、そのえさである人の皮質が大量に付着し、ダニにとって快適な温度・湿度環境である布団やマットなどに主に生息しており、その主な発生源となっている。
【０００３】
一般的に、布団を天日干しすることがダニを殺す良い方法とされており、同様の効果を得られる機器が提案されている（特許文献１を参照）。しかし、上述したダニアレルゲンは、ダニのフンおよびその死骸であり、上述したようにダニを殺すだけでは喘息の発症を抑制するには不十分である。
【０００４】
そのため、ダニアレルゲン対策として、日本アレルギー学会では、布団やマットなどを天日干してダニを殺した後、１平方メートルあたり２０〜３０秒程度掃除機をかける作業を行うことにより、布団やマットに付着しているダニアレルゲンを除去することを推奨している。また、アレルギーはアレルゲンの体内蓄積により発症するものであり、喘息患者が不在である家庭においてもこのような対策を実施する必要がある。
【０００５】
【特許文献１】特開平１１−４６９３１号公報
【発明の開示】
【発明が解決しようとする課題】
【０００６】
しかしながら、上述したような作業を行うことにより、ダニアレルゲンを布団やマットから除去することができるものの、その作業自体が家事負担を非常に大きくするので、居住者に症状が現れるまでほとんど実施されていない。また、特許文献１に記載の機器では、ダニを殺すことができるものの、ダニアレルゲンは増加するため、それらを除去するには、掃除機をかける必要があり、家事負担を大きくしてしまう虞があった。
【０００７】
そこで、本発明は、前述した問題に鑑み提案されたもので、家事負担を大きくすることなく、ダニアレルゲンを除去することができる寝具清浄装置を提供することを目的とする。
【課題を解決するための手段】
【０００８】
上述した課題を解決する第１の発明に係る寝具清浄装置は、寝具に設置される吸込路と、前記吸込路に連結され、前記吸込路に形成された吸入口を通って塵埃を吸い込む吸込み手段と、前記吸込み手段により吸い込まれた塵埃を排出する排出路とを有すことを特徴とする。
【０００９】
上述した課題を解決する第２の発明に係る寝具清浄装置は、第１の発明に記載された寝具清浄装置であって、前記排出路に、アレルゲンを不活性化する機能を有するフィルタを配置することを特徴とする。
【００１０】
上述した課題を解決する第３の発明に係る寝具清浄装置は、第２の発明に記載された寝具清浄装置であって、前記フィルタが酵素及び尿素を有するアレルゲン不活性化剤を備えることを特徴とする。
【００１１】
上述した課題を解決する第４の発明に係る寝具清浄装置は、ベッドマットが搭載されるベッドマット搭載部と、前記ベッドマット搭載部を支持する支持部と、前記支持部の下部に連結される底部とで囲まれて形成される空間を有し、前記ベッドマット搭載部に、前記空間と外部とを連通する連通穴が形成されたベッドと、前記空間から塵埃を吸い込む塵埃吸込み手段と、前記塵埃吸込み手段に連結され、前記塵埃吸込み手段により吸い込まれた塵埃を前記空間の外に排出する排出路とを有したことを特徴とする。
【００１２】
上述した課題を解決する第５の発明に係る寝具清浄装置は、第４の発明に記載された寝具清浄装置であって、前記排出路に、アレルゲンを不活性化する機能を有するフィルタを介在させることを特徴とする。
【００１３】
上述した課題を解決する第６の発明に係る寝具清浄装置は、第５の発明に記載された寝具清浄装置であって、前記フィルタが酵素及び尿素を有するアレルゲン不活性化剤を備えることを特徴とする。
【００１４】
上述した課題を解決する第７の発明に係る寝具清浄装置は、第５の発明または第６の発明に記載された寝具清浄装置であって、前記フィルタを前記ベッドの外に配置することを特徴とする。
【００１５】
上述した課題を解決する第８の発明に係る寝具清浄装置は、第４の発明乃至第７の発明の何れかに記載された寝具清浄装置であって、前記塵埃吸込み手段に、前記ベッドマット搭載部の貫通穴に接続するノズルを設け、前記ノズルを前記ベッドマット搭載部に沿って移動自在にすることを特徴とする。
【００１６】
上述した課題を解決する第９の発明に係る寝具清浄装置は、第４の発明乃至第８の発明の何れかに記載された寝具清浄装置であって、前記ベッドマット搭載部の貫通穴を塞ぐ蓋部材を設け、前記蓋部材を前記ベッドマット搭載部に沿って移動自在にすることを特徴とする。
【００１７】
上述した課題を解決する第１０の発明に係る寝具清浄装置は、吸気口が形成されたパイプ部と、前記パイプ部に連結され、前記吸気口から前記パイプ部を通って塵埃及びアレルゲンを吸込む吸込み手段と、前記吸込み手段に接続され、吸い込まれた塵埃及びアレルゲンを排出する排出路とを有す寝具清掃装置であって、前記吸込手段と前記排出路との間に、アレルゲンを不活性化する機能を有するフィルタを配置したことを特徴とする。
【００１８】
上述した課題を解決する第１１の発明に係る寝具清浄装置は、第１０の発明に記載された寝具清浄装置であって、前記フィルタが酵素及び尿素を有するアレルゲン不活性化剤を備えることを特徴とする。
【発明の効果】
【００１９】
第１の発明に係る寝具清浄装置によれば、上掛け布団および下掛け布団を天日干し、上下掛け布団を敷いた後に、上掛け布団と下掛け布団との間に配置し、吸込み手段により上下掛け布団の間に溜まった塵埃およびこの塵埃に含まれるダニアレルゲンを吸入口から吸込路を通って吸込み、吸い込んだ塵埃およびダニアレルゲンを排出路から排出して、上下掛け布団の間からダニアレルゲンを容易に除去することができるので、家事の作業負担を軽減することができる。
【００２０】
第２，第３の発明に係る寝具清浄装置によれば、第１の発明に記載された寝具清浄装置と同様な作用効果を奏する他、フィルタに排出路から排出される塵埃をろ過して、大きな塵埃を捕獲すると共に、塵埃とフィルタとが接触して、ダニアレルゲンを不活性化することができる。例えば、フィルタが酵素及び尿素を有するアレルゲン不活性化剤を備える場合、尿素により塵埃に含まれるダニアレルゲンを構成するたんぱく質の高次構造を崩し、酵素によりたんぱく質の１次結合を切断して、ダニアレルゲンを不活性化することができるので、フィルタからダニアレルゲンが排出され、このダニアレルゲンを人が吸い込んでしまっても、アレルギーを発生させる原因とならないようになる。
【００２１】
第４の発明に係る寝具清浄装置によれば、ベッドマット搭載部にベッドマットを搭載した状態で、塵埃吸込み手段を作動させるだけで、塵埃吸込み手段により、ベッドマットに付着した塵埃および塵埃に含まれるダニアレルゲンを前記ベッド搭載部の連通穴を通って吸い込むと共に、空間に溜まった塵埃およびダニアレルゲンを吸い込み、この塵埃およびダニアレルゲンを、排出路を通ってベッドの外に排出して、ベッドマットからダニアレルゲンを容易に除去することができるので、家事の作業負担を軽減することができる。
【００２２】
第５，第６の発明に係る寝具清浄装置によれば、第４の発明に記載された寝具清浄装置と同様な作用効果を奏する他、フィルタに排出路から排出される塵埃をろ過して、大きな塵埃を捕獲すると共に、塵埃とフィルタとが接触して、ダニアレルゲンを不活性化することができる。例えば、フィルタが酵素及び尿素を有するアレルゲン不活性化剤を備える場合、尿素により塵埃に含まれるダニアレルゲンを構成するたんぱく質の高次構造を崩し、酵素によりたんぱく質の１次結合を切断して、ダニアレルゲンを不活性化することができるので、フィルタからダニアレルゲンが排出され、このダニアレルゲンを人が吸い込んでしまっても、アレルギーを発生させる原因とならないようになる。
【００２３】
第７の発明に係る寝具清浄装置によれば、第５の発明および第６の発明に記載された寝具清浄装置と同様な作用効果を奏する他、フィルタがベッドの外に配置されるので、前記フィルタを容易に取り替えることができる。
【００２４】
第８の発明に係る寝具清浄装置によれば、第４の発明乃至第７の発明に記載された寝具清浄装置と同様な作用効果を奏する他、ノズルがベッドマット搭載部の連通穴の下に移動するので、ベッドマットに付着した塵埃および塵埃に含まれるダニアレルゲンを効率良く吸い込むことができ、作業効率が向上する。
【００２５】
第９の発明に係る寝具清浄装置によれば、第４の発明乃至第８の発明に記載された寝具清浄装置と同様な作用効果を奏する他、１つの連通穴を除き他の連通穴を蓋部材で塞いだ状態で、塵埃吸込み手段により塵埃および塵埃に含まれるダニアレルゲンの吸い込み、前記蓋部材で塞がれる連通穴を順次変えて塵埃およびダニアレルゲンを吸い込む作業を繰り返し行うことにより、ベッドマット搭載部の上部と空間とを連通する箇所が１箇所だけとなり、塵埃吸込み手段による塵埃およびダニアレルゲンの吸込み力を低下させずに行うことができる。また、塵埃吸込み手段により塵埃およびダニアレルゲンを吸込みきれなかった場合に、ベッドマットからベッドマット搭載部の連通穴を通り、空間に落ちて、空間内にダニアレルゲンが溜まると共に、空間内のダニアレルゲンが浮遊してベッドマット搭載部の連通穴を通ってベッドマットに付着しないようにすることができる。
【００２６】
第１０，第１１の発明に係る寝具清浄装置によれば、フィルタに排出路から排出される塵埃をろ過して、大きな塵埃を捕獲すると共に、塵埃とフィルタとが接触して、ダニアレルゲンを不活性化することができる。例えば、フィルタが酵素及び尿素を有するアレルゲン不活性化剤を備える場合、尿素により塵埃に含まれるダニアレルゲンを構成するたんぱく質の高次構造を崩し、酵素によりたんぱく質の１次結合を切断して、ダニアレルゲンを不活性化することができるので、フィルタからダニアレルゲンが排出され、このダニアレルゲンを人が吸い込んでしまっても、アレルギーを発生させる原因とならないようになる。
【発明を実施するための最良の形態】
【００２７】
以下に、本発明に係る寝具清浄装置を実施するための最良の形態を実施例に基づき具体的に説明する。
【実施例１】
【００２８】
図１は、本発明の第１の実施例に係る寝具清浄装置の概略図である。なお、図１中の矢線は塵埃の流れを示す。
【００２９】
図１に示すように、本発明の第１の実施例に係る寝具清浄装置１０は、ベッドマット１を搭載するベッドマット搭載部であるベッドマット搭載板２と、ベッドマット搭載板２に連結し、ベッドマット搭載板２を支持する支持部である支持脚３と、支持脚３の最下部に連結される底部である底板４とで囲まれ、密閉して形成される空間５を有すベッド６と、空間５に配置され、塵埃を吸い込む塵埃吸込み手段である吸込みブロア７とを有する。ベッドマット搭載板２に、空間５と外部とを連通する連通穴２ａが複数形成される。
【００３０】
ベッドマット１には、上下を連通する貫通穴１ａが複数形成される。ベッドマット１の上部には布団８が配置される。吸込みブロア７には、ベッド６の外まで延びる排出路９が連結されており、吸込みブロア７に吸い込まれた塵埃および塵埃に含まれるダニアレルゲンを空間５（ベッド６）の外に排出するにようになっている。ベッド６の外に配置される排出路９には、フィルタ１１が介在される。
【００３１】
フィルタ１１は、ダニアレルゲンを不活性化する機能を備えている。例えば、フィルタは、酵素及び尿素を有するアレルゲン不活性化剤を備える場合、尿素がアレルゲンを構成するたんぱく質の高次構造を崩し、酵素が前記たんぱく質の１次結合を切断してアレルゲンを不活性化する。酵素には、例えばペプチド結合を加水分解するプロテアーゼを用いることができる。プロテアーゼは、プロテイナーゼとぺプチダーゼとに大別される。プロテイナーゼはタンパク質分子のペプチド結合を加水分解する酵素であり、高分子たんぱく質に作用すると急速な低分子化が起こり、たんぱく質をペプトン化するものである。ぺプチダーゼはペプチド鎖のアミノ末端あるいはカルボキシ末端のペプチド結合を加水分解する酵素であり、ペプチド鎖の末端から順次アミノ酸を遊離させるものである。なお、上記酵素は、空気中の湿気により活性になっている。
【００３２】
したがって、本発明の第１の実施例に係る寝具清掃装置１０によれば、ベッドマット搭載板２の上にベッドマット１および布団８を搭載した状態で、吸込みブロア７を作動させるだけで、ベッドマット搭載板２に搭載されたベッドマット１に溜まった塵埃およびダニアレルゲンが吸込みブロア７に吸い込まれると共に、ベッドマット１の上部に配置される布団８に溜まった塵埃および塵埃に含まれるダニアレルゲンがベッドマット１の貫通穴１ａ、ベッドマット搭載板２の連通穴２ａを通って吸込みブロア７に吸い込まれ、さらに、空間５に溜まった塵埃およびダニアレルゲンが吸込みブロア７に吸い込まれるので、吸込みブロア７に吸い込まれた塵埃およびダニアレルゲンを排出路９のフィルタ１１を通って空間５の外に排出して、ベッドマット１および布団８からダニアレルゲンを容易に除去することができ、家事の作業負担を軽減することができる。
【００３３】
フィルタ１１には、排出路９から排出される塵埃をろ過して、大きな塵埃を捕獲すると共に、塵埃とフィルタ１１とが接触して、ダニアレルゲンを不活性化することができる。例えば、フィルタが酵素及び尿素を有するアレルゲン不活性化剤を備える場合、フィルタ１１の尿素により塵埃に含まれるダニアレルゲンを構成するたんぱく質の高次構造を崩し、フィルタ１１の酵素によりたんぱく質の１次結合が切断され、ダニアレルゲンを不活性化する。その結果、フィルタ１１からダニアレルゲンが排出され、このダニアレルゲンを人が吸い込んでしまっても、アレルギーを発生させる原因とならないようになる。また、フィルタ１１をベッド６の外に配置したことにより、フィルタ１１を容易に取り替えることができる。
【００３４】
上記では、ベッドマット搭載板２と支持脚３と底板４とからなる空間５を有するベッド６を用いて説明したが、ベッドマット搭載板と支持脚とベッドが配置される床とで囲まれて、密閉した空間が形成されるものであっても、上述した第１の実施例に係る寝具清浄装置と同様な作用効果を奏する。
【００３５】
上記では、ベッドマット搭載板２の上にベッドマット１を敷き、その上に布団８を敷いたものを用いて説明したが、ベッドマット搭載板の上に布団を直接敷いたものでも、上述した第１の実施例に係る寝具清浄装置と同様な作用効果を奏する。
【実施例２】
【００３６】
以下に、本発明の第２の実施例に係る寝具清浄装置について、図を用いて具体的に説明する。第２の実施例に係る寝具清浄装置は、上述した第１の実施例に係る寝具清浄装置におけるベッドの穴を塞ぐ蓋部材を追加したものであり、それ以外はこの寝具清浄装置と同じ構造を有する。第１の実施例に係る寝具清浄装置と同一部材には、同一符号を付記し、その説明を省略する。
【００３７】
図２は、本発明の第２の実施例に係る寝具清浄装置図である。なお、図２中の矢線は蓋部材の移動方向を示す。
【００３８】
本発明の第２の実施例に係る寝具清掃装置２０では、図２に示すように、ベッドマット搭載板２の下部に、ベッド搭載部２の連通穴２ａを塞ぐ蓋部材２１がベッドマット搭載板２に沿って移動自在に配置される。１つの連通穴２ａ以外の連通穴２ａを蓋部材２１で塞ぎ、吸込みブロア７により塵埃およびダニアレルゲンを吸い込む。続いて、蓋部材２１で塞がれた連通穴２ａから蓋部材２１を移動してベッド搭載部２の上部と空間５とを連通させると共に、蓋部材２１で塞がれなかった連通穴２ａの一つを蓋部材２１で塞ぎ、吸込みブロア７により塵埃およびダニアレルゲンを吸い込む。この作業を全ての連通穴２ａに対して順次行う。
【００３９】
したがって、本発明の第２の実施例に係る寝具清掃装置２０によれば、上述した第１の実施例に係る寝具清浄装置と同様な作用効果を奏する他、空間５とベッドマット搭載板２の上部とが連通する箇所が常に１箇所だけとなるので、吸込みブロア７による塵埃およびダニアレルゲンの吸込み力を低下させずに行うことができる。また、吸込みブロア７によりダニアレルゲンが吸込みきれなかった場合に、ベッドマット１からベッドマット搭載板２の連通穴２ａを通り、空間５に落ちて、空間５内にダニアレルゲンが溜まると共に、空間５内のダニアレルゲンが浮遊してベッドマット搭載板２の連通穴２ａを通ってベッドマット１に付着しないようにすることができる。
【実施例３】
【００４０】
以下に、本発明の第３の実施例に係る寝具清浄装置について、図を用いて具体的に説明する。第３の実施例に係る寝具清浄装置は、上述した第１の実施例に係る寝具清浄装置における吸込みブロアにノズルを追加したものであり、それ以外はこの寝具清浄装置と同じ構造を有する。第１の実施例に係る寝具清浄装置と同一部材には、同一符号を付記し、その説明を省略する。
【００４１】
図３は、本発明の第３の実施例に係る寝具清浄装置図である。なお、図３中の矢線は、ノズルの吸込み口の移動方向を示す。
【００４２】
本発明の第３の実施例に係る寝具清浄装置３０では、図３に示すように、吸込みブロア７に連結され、ベッドマット搭載板２の貫通穴２ａに接続するノズル３１が設けられる。ノズル３１の先端には吸込み口３２が形成されており、ベッドマット搭載板２に沿って移動自在になっている。
【００４３】
したがって、本発明の第３の実施例に係る寝具清浄装置３０によれば、上述した第１の実施例に係る寝具清浄装置と同様な作用効果を奏する他、ノズル３１をベッドマット搭載板２の連通穴２ａの下に移動するだけで、ベッドマット１に付着した塵埃およびダニアレルゲンを効率良く吸い込むことができ、作業効率が向上する。
【実施例４】
【００４４】
以下に、本発明の第４の実施例に係る寝具清浄装置について、図を用いて具体的に説明する。第４の実施例に係る寝具清浄装置は、上述した第１の実施例に係る寝具清浄装置自体を移動可能にしたものである。
【００４５】
図４は、本発明の第４の実施例に係る寝具清浄装置の概略図であり、図５はその斜視図である。なお、図５中の矢線は、塵埃の流れを示す。
【００４６】
本発明の第４の実施例に係る寝具清浄装置４０は、図４に示すように、ベッド４１におけるベッドマット４２を搭載するベッドマット搭載部４３の上に配置されるベッドマット４２を介して配置される下掛け布団４４と、下掛け布団４４の上に配置される上掛け布団４５との間に配置され、塵埃およびダニアレルゲンを吸い込む吸込路であるパイプ部４６と、パイプ部４６に連結され、塵埃を吸い込む吸込み手段である吸込装置４７と、吸込装置４７により吸い込まれた塵埃を排出する排出路である排出チューブ４８とを有する。
【００４７】
パイプ部４６は、図５に示すように、吸気口４９ａが複数形成された複数の吸込み管４９と、複数の吸込み管４９が連結される延長管５０と、一端が延長管５０に連結される一方、他端が吸込装置４７に連結される吸気チューブ５１とを有する。
【００４８】
吸込装置４７を作動させることにより、上下掛け布団４５，４４の間に溜まった塵埃およびダニアレルゲンを吸気口４９ａ、吸込み管４９、延長管５０、および吸気チューブ５１を通って吸込装置４７に吸い込まれ、吸込装置４７に吸い込まれた塵埃およびダニアレルゲンが排出チューブ４８を通って排出される。
【００４９】
したがって、本発明の第４の実施例に係る寝具清浄装置４０によれば、上掛け布団４５および下掛け布団４４を天日干し、上下掛け布団４５，４４を敷いた後に、上掛け布団４５と下掛け布団４４との間に配置し、上下掛け布団４５，４４の間に溜まった塵埃およびダニアレルゲンを吸気口４９ａ、吸込み管４９、および延長管５０から、吸気チューブ５１を通って吸込装置４７により吸い込み、吸込装置４７に吸い込まれた塵埃およびダニアレルゲンを排出チューブ４８から排出して、上下掛け布団４５，４４の間からダニアレルゲンを容易に除去することができ、家事の作業負担を軽減することができる。
【００５０】
なお、上記では、ベッド４１に適用したものを用いて説明したが、布団だけを敷いたものに適用するようにしても良く、同様な作用効果が得られる。
【実施例５】
【００５１】
以下に、本発明の第５の実施例に係る寝具清浄装置について、図を用いて具体的に説明する。第５の実施例に係る寝具清浄装置は、上述した第４の実施例に係る寝具清浄装置にフィルタを追加したものであり、それ以外は同じ構造を有する。第４の実施例に係る寝具清浄装置と同じ部材には同一符号を付記し、その説明を省略する。
【００５２】
図６は、本発明の第５の実施例に係る寝具清浄装置図である。なお、図６中の矢線は、塵埃の流れを示す。
【００５３】
本発明の第５の実施例に係る寝具清浄装置６０は、図６に示すように、吸込装置４７と排出チューブ４８との間にフィルタ６１を配置したものである。フィルタ６１は、ダニアレルゲンを不活性化することができる。例えば、フィルタが酵素及び尿素を有するアレルゲン不活性化剤を備える場合、尿素がアレルゲンを構成するたんぱく質の高次構造を崩し、酵素が前記たんぱく質の１次結合を切断してアレルゲンを不活性化する。酵素には、例えばペプチド結合を加水分解するプロテアーゼを用いることができる。プロテアーゼは、プロテイナーゼとぺプチダーゼとに大別される。プロテイナーゼはタンパク質分子のペプチド結合を加水分解する酵素であり、高分子たんぱく質に作用すると急速な低分子化が起こり、たんぱく質をペプトン化するものである。ぺプチダーゼはペプチド鎖のアミノ末端あるいはカルボキシ末端のペプチド結合を加水分解する酵素であり、ペプチド鎖の末端から順次アミノ酸を遊離させるものである。なお、上記酵素は、空気中の湿気により活性になっている。
【００５４】
したがって、本発明の第５の実施例に係る寝具清浄装置６０によれば、上述した第４の実施例と同様な作用効果を奏する他、フィルタ６１に排出チューブ４８から排出される塵埃をろ過して、大きな塵埃を捕獲すると共に、塵埃とフィルタ６１とが接触して、ダニアレルゲンを不活性化することができる。例えば、フィルタが酵素及び尿素を有するアレルゲン不活性化剤を備える場合、尿素により塵埃に含まれるダニアレルゲンを構成するたんぱく質を１次構造に崩し、酵素によりたんぱく質の１次結合を切断して、ダニアレルゲンを不活性化することができるので、フィルタ６１からダニアレルゲンが排出され、このダニアレルゲンを人が吸い込んでしまっても、アレルギーを発生させる原因とならないようになる。
【産業上の利用可能性】
【００５５】
本発明は、ダニアレルゲンを除去可能な寝具清浄装置に利用することが可能である。
【図面の簡単な説明】
【００５６】
【図１】本発明の第１の実施例に係る寝具清浄装置の概略図である。
【図２】本発明の第２の実施例に係る寝具清浄装置の概略図である。
【図３】本発明の第３の実施例に係る寝具清浄装置の概略図である。
【図４】本発明の第４の実施例に係る寝具清浄装置の概略図である。
【図５】本発明の第４の実施例に係る寝具清浄装置の斜視図である。
【図６】本発明の第５の実施例に係る寝具清浄装置の概略図である。
【符号の説明】
【００５７】
１      ベッドマット
２      ベッドマット搭載板
３      支持脚
４      底板
５      空間
６      ベッド
７      吸気ブロア
８      布団
９      排出管
１０    寝具清浄装置
１１    フィルタ
【図１】
2006204571.tif 000003
【図２】
2006204571.tif 000004
【図３】
2006204571.tif 000005
【図４】
2006204571.tif 000006
【図５】
2006204571.tif 000007
【図６】
2006204571.tif 000008